(57)【要約】【課題】コーナー空間を有効活用し、意匠性を向上させた建築部材及びファスナーを提供する。【解決手段】建物のコーナー部分には第１面部材Ｅ１及び第２面部材Ｅ２が配置され、第１面部材Ｅ１の一端部及び第２面部材Ｅ２の一端部は、コーナー部材３０により構成されている。コーナー部材３０は、第１面方立部材３１の見付け方向の端面は、第２面方立部材のパネル支持部材３２の見込み方向の手前側の端面と略一直線上を成すように形成されている。このコーナー部材３０の第１面方立部材３１に端部が取り付けられたファスナー５０は、梁１７に取り付けられた端部と、第１面部材Ｅ１の背面と第２面部材Ｅ２の側面との隙間に延在するように配置された連結部とを備えている。【選択図】図２
2015074872.tif 000002
【特許請求の範囲】
【請求項１】
建物の２面が交差するコーナー部分の各面を構成する第１面部材及び第２面部材と、
前記第１面部材及び前記第２面部材のコーナー部分側の端部を、前記建物の躯体に支持するファスナーとを備えた建築部材であって、
前記第１面部材の見付け方向の端部が、他方の面に配置された第２面部材の見込み方向の手前側の端面近傍に配置され、
前記ファスナーは、
前記建物の躯体に取り付けられる第１取付部と、
前記第１取付部に接続され、前記第１面部材の見込み方向の奥側と前記第２面部材の見付け方向の端部との隙間に配置される連結部と、
前記連結部に接続され、前記第１面部材のコーナー部分側の端部に取り付けられる第２取付部とを備えたことを特徴とする建築部材。
【請求項２】
前記ファスナーの連結部は、前記第２面部材の見込み方向の長さより長いことを特徴とする請求項１に記載の建築部材。
【請求項３】
前記ファスナーは、
断面Ｌ字形状の２つの部材を少なくとも有しており、
一方の断面Ｌ字形状の部材の端部を前記第１取付部として機能させ、他方の断面Ｌ字形状の部材の端部を前記第２取付部として機能させたことを特徴とする請求項１又は２に記載の建築部材。
【請求項４】
前記ファスナーを構成する断面Ｌ字形状の部材は、前記断面Ｌ字形状に対して直交するリブ部を備えたことを特徴とする請求項３に記載の建築部材。
【請求項５】
建物の２面が交差するコーナー部分の各面を構成する第１面部材及び第２面部材を備え、前記第１面部材の見付け方向の端部が、他方の面に配置された第２面部材の見込み方向の手前側の端面近傍に配置された建築部材に用いられ、前記第１面部材及び前記第２面部材のコーナー部分側の端部を、前記建物の躯体に支持するファスナーであって、
前記建物の躯体に取り付けられる第１取付部と、
前記第１取付部に接続され、前記第１面部材の見込み方向の奥側と前記第２面部材の見付け方向の端部との隙間に配置される連結部と、
前記連結部に接続され、前記第１面部材のコーナー部分側の端部に取り付けられる第２取付部とを備えたことを特徴とするファスナー。
【発明の詳細な説明】
【技術分野】
【０００１】
本発明は、建物のコーナー部に配置される建築部材及びこれに用いられるファスナーに関する。
【背景技術】
【０００２】
例えば、壁面においてユニットを利用したカーテンウォール構造を有する建物においては、第１面と第２面の二つの壁面のコーナー部で、両面のユニットを接続する必要がある。そこで、このコーナー部の構造について、検討されている（例えば、特許文献１参照）。この文献においては、コーナー部に設置される一方のカーテンウォールユニットのフレームの縦枠に方立を接合して一体化させ、他方のフレームの縦枠を方立に対して、フレームの面外方向に係合可能な状態に、フレームの内面方向に係合させる。これにより、コーナー部における作業数を削減し、コーナーに立設される方立と二方向のユニットの縦枠との間の水密を確実にしている。
【先行技術文献】
【特許文献】
【０００３】
【特許文献１】特開平１１−２１７９００号公報
【発明の概要】
【発明が解決しようとする課題】
【０００４】
しかしながら、上記文献においては、第１面と第２面の交差する部分に、それぞれを支持するためのコーナー部材が配置されている。このため、コーナー部材の占有面積が大きく、コーナー空間を効率的に利用できない。また、建物のコーナー部分において、形態的な連続性を担保した意匠を実現できない。
【０００５】
本発明は、上述の課題に鑑みてなされ、その目的は、コーナー空間を有効活用し、意匠性を向上させた建築部材及びファスナーを提供することにある。
【課題を解決するための手段】
【０００６】
上記課題を解決する建築部材は、建物の２面が交差するコーナー部分の各面を構成する第１面部材及び第２面部材と、前記第１面部材及び前記第２面部材のコーナー部分側の端部を、前記建物の躯体に支持するファスナーとを備えた建築部材であって、前記第１面部材の見付け方向の端部が、他方の面に配置された第２面部材の見込み方向の手前側の端面近傍に配置され、前記ファスナーは、前記建物の躯体に取り付けられる第１取付部と、前記第１取付部に接続され、前記第１面部材の見込み方向の奥側と前記第２面部材の見付け方向の端部との隙間に配置される連結部と、前記連結部に接続され、前記第１面部材のコーナー部分側の端部に取り付けられる第２取付部とを備えたこと要旨とする。
【０００７】
この構成によれば、第１面部材の見付け方向の端部が、第２面部材の見込み方向の手前側の端面近傍に配置されるので、建物のコーナー部分の空間を有効活用することができる。この場合、第１面部材の端部及び建物の躯体に取り付けられたファスナーの連結部が、第１面部材の見込み方向の奥側と第２面部材の端部との隙間に配置されるので、ファスナーを第１面部材に突出させない構成にすることができ、意匠性を向上させることができる。更に、建物の躯体として梁にファスナーを取り付ける場合には、第１面部材のコーナー部分側の端部を梁から離して設けることができるので、梁を短くすることができる。
【０００８】
上記建築部材について、前記ファスナーの連結部は、前記第２面部材の見込み方向の長さより長いことが好ましい。この構成によれば、ファスナーを第２面部材にも突出させない構成にして、意匠性を更に向上させることができる。
【０００９】
上記建築部材について、前記ファスナーは、断面Ｌ字形状の２つの部材を少なくとも有しており、一方の断面Ｌ字形状の部材の端部を前記第１取付部として機能させ、他方の断面Ｌ字形状の部材の端部を前記第２取付部として機能させることが好ましい。この構成によれば、ファスナーを構成する２つの部材の相対距離を変更することにより、梁と第１面方立部材との距離に応じて、ファスナーの連結部の長さを容易に変更することができる。
【００１０】
上記建築部材について、前記ファスナーを構成する断面Ｌ字形状の部材は、前記断面Ｌ字形状に対して直交するリブ部を備えたことが好ましい。この構成によれば、ファスナーに水平方向に対する強度を向上させて、変形を抑制することができる。
【発明の効果】
【００１１】
本発明によれば、コーナー空間を有効活用し、意匠性を向上させることができる。
【図面の簡単な説明】
【００１２】
【図１】実施形態における建築部材を適用した建物の外観斜視図。
【図２】実施形態における建築部材の平面図。
【図３】図２における要部の拡大平面図。
【図４】実施形態における建築部材の要部の構成を示す斜視図。
【発明を実施するための形態】
【００１３】
以下、図１〜図４に従って、一実施形態を説明する。
図１は、建築部材を適用した本実施形態の建物の全体斜視図である。図２は、建物１０におけるコーナー部分の平面断面図である。
【００１４】
図１に示すように、本実施形態では、凹凸形状のファサードを有する建物１０のコーナー部分に適用する。この建物１０の外周部には複数の凸部１１が形成されており、建物１０の凸部１１の間には窓部材１２，１２ａ，１２ｂが配置されている。建物１０のコーナー部分には、第１面部材Ｅ１及び第２面部材Ｅ２が配置される。第１面部材Ｅ１は、第１面（図１における側面）に配置されており、第２面部材Ｅ２は、第２面（図１における正面）に配置されている。第１面部材Ｅ１及び第２面部材Ｅ２は、建物１０のコーナー部分の外観を構成する部材であり、凸部１１の間に配置された窓部材１２，１２ａ，１２ｂよりも外部に突出している。
【００１５】
図２に示すように、建物１０のコーナー部分の第１面部材Ｅ１の一端部及び第２面部材Ｅ２の一端部は、コーナー部材３０により構成されている。このコーナー部材３０は、所定の角度（例えば９０度）で配置されたガラス部材１３ａ，１３ｂを支持する。
【００１６】
第１面部材Ｅ１の他端部には、ガラス部材１３ａを支持する方立部材２１が配置されている。また、第２面部材Ｅ２の他端部には、ガラス部材１３ｂを支持する方立部材２５が配置されている。
【００１７】
方立部材２１と方立部材２５とは、左右を反転させた構造である。方立部材２１，２５は、それぞれの見込み方向の手前側において、コーナー部分に向けて開口された凹部を備えている。方立部材２１，２５は、この凹部において、ガラス部材１３ａ，１３ｂの端部を固定する。ガラス部材１３ａが第１パネル部材、ガラス部材１３ｂが第２パネル部材として機能する。
【００１８】
更に、方立部材２１，２５は、見込み方向の奥側において、両側に開口された２つの凹部を備えている。これら凹部は、上述した窓部材１２ａ，１２ｂ及びパネル部材１５ａ，１５ｂをそれぞれ支持する。この場合、両側の凹部の配置により、第１面、第２面のそれぞれにおいて窓部材１２ａ，１２ｂとパネル部材１５ａ，１５ｂとが同一平面上に並ぶことになる。
【００１９】
パネル部材１５ａ，１５ｂは、面発光するＬＥＤ光源が実装されたライトモジュールであり、着脱可能に支持されている。更に、パネル部材１５ａ，１５ｂとガラス部材１３ａ，１３ｂとの間で、ガラス部材１３ａ，１３ｂの近傍には、受光幕１４ａ，１４ｂが張設されている。この受光幕１４ａ，１４ｂは、シート状の半透過性の白色の着脱可能な幕であり、パネル部材１５ａ，１５ｂのＬＥＤ光源からの光を受け取ってライトアップされる。
【００２０】
方立部材２１は、複数のボルトによってリップ溝形鋼２７を介して方立ブラケット２８に固定されている。この方立ブラケット２８は、方立ファスナー２９を介して建物１０の梁１７に取り付けられている。また、方立部材２５も、同様の構成（図示せず）を介して、建物１０の梁１８に取り付けられている。なお、方立部材２１，２５には、見付け方向の内側（パネル部材１５ａ，１５ｂとガラス部材１３ａ，１３ｂを支持する凹部が開口した側）に、カバー部材２６が設けられている。
【００２１】
次に、建物１０のコーナー部材３０の構成について詳述する。
図２に示すように、建物１０のコーナー部材３０は、第１面方立部材３１を有している。この第１面方立部材３１は、方立部材２１と左右を反転させた構造であり、第１面部材Ｅ１の一端部を構成する。第１面方立部材３１は、パネル部材１５ａ及びガラス部材１３ａを支持する凹部を備えている。このため、第１面部材Ｅ１は、方立部材２１、第１面方立部材３１、パネル部材１５ａ及びガラス部材１３ａ等で構成され、これらで囲まれた第１空間Ｓ１を区画している。この第１空間Ｓ１は、本実施形態では、パネル部材１５ａを取り外すことにより建物１０の内部空間の一部となり、受光幕１４ａを取り外すことにより、ガラス部材１３ａを介して建物１０の外部から眺めることができる。なお、第１面方立部材３１には、この第１面方立部材３１の方立部材２１側を覆うカバー部材２６が設けられている。
【００２２】
更に、第１面方立部材３１には、第１面の見込み方向の奥側（第２面の見付け方向の内側）において、第２面方立部材のパネル支持部材３２が取り付けられている。本実施形態の第２面方立部材は、パネル支持部材３２、ジョイントカバー３３及び凹部形成部材３４から構成されている。パネル支持部材３２は、ガラス部材１３ｂを支持する凹部を備えている。結果として、第１面方立部材３１の見付け方向の端面は、第２面方立部材の見込み方向の手前側の端面と略一直線上を成すように、コーナー部材３０が形成されている。
【００２３】
更に、第２面方立部材のパネル支持部材３２には、Ｌ字形状をしたジョイントカバー３３の一端部が取り付けられている。このジョイントカバー３３は、コーナー部材３０の方立部材２５に対向する側に配置されている。更に、このジョイントカバー３３には、第２面の見込み方向の奥側において、凹部形成部材３４が取り付けられている。この凹部形成部材３４は、断面コ字形状をしており、パネル部材１５ｂの他端部を支持する凹部を形成している。結果として、パネル支持部材３２、ジョイントカバー３３及び凹部形成部材３４が、第２面部材Ｅ２の一端部を構成する。このため、第２面部材Ｅ２は、第２面方立部材（パネル支持部材３２、ジョイントカバー３３、凹部形成部材３４）、方立部材２５、パネル部材１５ｂ及びガラス部材１３ｂ等で構成され、これらで囲まれた第２空間Ｓ２を区画している。この第２空間Ｓ２は、本実施形態では、第１空間Ｓ１と同様に、パネル部材１５ｂを取り外すことにより建物１０の内部空間の一部となり、受光幕１４ｂを取り外すことにより、ガラス部材１３ｂを介して建物１０の外部から眺めることができる。
【００２４】
コーナー部材３０には、第１面方立部材３１の中央部の内部に配置されたリップ溝形鋼２７を介してファスナー５０が取り付けられている。このファスナー５０は、全体としてＺ形鋼と同様の形状を有している。ファスナー５０は、第１空間Ｓ１と第２空間Ｓ２との間の空間に延在するように配置されている。ファスナー５０の端部は、建物１０の梁１７に取り付けられている。
【００２５】
次に、図３及び図４を用いて、ファスナー５０の詳細について説明する。図３は、図２におけるコーナー部材３０の拡大図であり、図４は、ファスナー５０の形状を示す斜視図である。
【００２６】
図３に示すように、本実施形態のファスナー５０は、断面がＬ字形状をした第１部材５１及び第２部材５２から構成されている。
第１部材５１は、平板の長方形状の取付部５１ａと、これに対して直角に連結されている平板の長方形状の連結部５１ｂとを有している。
【００２７】
図４に示すように、第１部材５１の取付部５１ａは、梁１７にボルトによって取り付けられ、第１取付部として機能する。また、第１部材５１は、取付部５１ａ及び連結部５１ｂに直角となるように、これらの中央で連結されているＬ字形状の平板のリブ部５１ｃを有している。また、図３のように、第１部材５１の連結部５１ｂ及びリブ部５１ｃの端部は、コーナー部材３０のジョイントカバー３３及びパネル部材１５ａの間に配置される。
【００２８】
図４に示すように、第２部材５２は、第１部材５１よりも高さ方向に長くなるように構成する。第２部材５２は、平板の長方形状の取付部５２ａと、これに対して直角に連結されている平板の長方形状の連結部５２ｂとを有している。取付部５２ａは、コーナー部材３０内に挿入されており、リップ溝形鋼２７を介してコーナー部材３０にボルトによって取り付けられ、第２取付部として機能する。更に、連結部５２ｂは、第１部材５１の連結部５１ｂと共締めされて、第１部材５１及び第２部材５２が一体化される。ここで、第１部材５１と第２部材５２を連結したときのファスナー５０の連結部の長さ（第１部材５１の連結部５１ｂと第２部材５２の連結部５２ｂとの結合長さ）を、第２空間Ｓ２（第２面部材Ｅ２）の見込み方向の長さよりも長くなるように構成する。
【００２９】
また、第２部材５２の取付部５２ａには、２つの平板のリブ部５２ｃが形成されている。これらリブ部５２ｃは、取付部５２ａ及び連結部５２ｂのそれぞれに対して直角となるように配置されている。
【００３０】
以上のように構成したコーナー部材３０の取付方法について説明する。
図４に示すように、梁１７に、ファスナー５０の第１部材５１の取付部５１ａをボルトで取り付ける。更に、第１部材５１の連結部５１ｂと、第２部材５２の連結部５２ｂとを一体化する。そして、第２部材５２の取付部５２ａに、リップ溝形鋼２７を介して、コーナー部材３０の第１面方立部材３１を取り付ける。
【００３１】
更に、図３に示すように、第１面方立部材３１に第２面方立部材のパネル支持部材３２を取り付け、凹部形成部材３４を取り付けたジョイントカバー３３を取り付ける。そして、コーナー部材３０に、ガラス部材１３ａ，１３ｂ及び受光幕１４ａ，１４ｂを取り付け、カバー部材２６を取り付け、パネル部材１５ａ，１５ｂを取り付ける。
【００３２】
本実施形態によれば、以下のような効果を得ることができる。
（１）本実施形態において、建物１０のコーナー部分には第１面部材Ｅ１及び第２面部材Ｅ２が配置され、第１面部材Ｅ１の一端部及び第２面部材Ｅ２の一端部は、コーナー部材３０により構成されている。第１面部材Ｅ１の第１面方立部材３１の見付け方向の端面は、第２面部材Ｅ２のパネル支持部材３２の見込み方向の手前側の端面と略一直線上を成すように形成されている。このコーナー部材３０の第１面方立部材３１に端部が取り付けられたファスナー５０は、梁１７に取り付けられた端部と、第１面部材Ｅ１の背面と第２面部材Ｅ２の側面との隙間に延在するように配置された連結部とを備えている。これにより、このファスナー５０によって、コーナー部材３０を、これから離間している梁１７に固定することができる。従って、梁１７の端部をコーナー部材３０から離して設けることができ、梁１７を短くすることができる。更に、第１面部材Ｅ１の背面と第２面部材Ｅ２の側面との隙間に、ファスナーの連結部が配置できるため、ファスナー５０を第１面部材Ｅ１に突出させることなく、すっきりとした意匠にすることができる。加えて、ファスナー５０の連結部は、第２面部材Ｅ２の見込み方向の長さよりも長くなるように構成されているので、ファスナー５０を第２面部材Ｅ２にも突出させることなく、更に意匠性を向上させることができる。
【００３３】
（２）本実施形態において、ファスナー５０の第２部材５２の取付部５２ａはコーナー部材３０の第１面方立部材３１内に取り付けられている。これにより、ファスナー５０を外部から隠蔽し、意匠性を向上させることができる。
【００３４】
（３）本実施形態において、ファスナー５０は、２つのＬ字形状（第１部材５１及び第２部材５２）を連結した構成となっている。従って、ファスナー５０は、第１部材５１及び第２部材５２の相対距離を変更することにより、梁１７とコーナー部材３０との距離に応じて、ファスナー５０の連結部の長さを変更することができる。
【００３５】
（４）本実施形態において、ファスナー５０の第１部材５１及び第２部材５２は、それぞれリブ部５１ｃ，５２ｃを有する。これにより、ファスナー５０の水平方向に対する強度を向上させて、変形を抑制することができる。
【００３６】
また、上記実施形態は、以下のように変更してもよい。
・上記実施形態においては、ファスナー５０は、２つのＬ字形状の第１部材５１及び第２部材５２を結合した構成とした。ファスナー５０の構成は、これに限定されるものではない。例えば、１つのＺ形鋼で構成したり、連結部を更に分割して３つの部材から構成したりしてもよい。
【００３７】
また、ファスナー５０は、第１取付部と連結部（第１部材５１の取付部５１ａと連結部５１ｂ）、第２取付部と連結部（第２部材５２の取付部５２ａと連結部５２ｂ）とは直角となる構成とした。また、ファスナー５０を構成する第１部材５１及び第２部材５２は、Ｌ字形状の部材で構成した。第１部材５１及び第２部材５２の角度は、コーナー部材３０の形状に応じた角度であれば、直角でなくてもよい。
【００３８】
また、ファスナー５０は、コーナー部材３０の第１面方立部材３１の中央部に取り付けた。ファスナー５０の第１面方立部材３１における取付位置には、これに限らず、例えば、第１面方立部材３１の見込み方向の奥側の端部であってもよい。
【００３９】
・上記実施形態においては、ファスナー５０の第２取付部が取り付けられるコーナー部材３０は、方立部材２１の左右対称の形状をした第１面方立部材３１、第２面方立部材（パネル支持部材３２、ジョイントカバー３３及び凹部形成部材３４）を有した形状をしている。ファスナー５０が取り付けられるコーナー部材３０の形状はこれに限定されない。また、ファスナー５０は、梁１７に取り付けたが、建物１０の躯体を構成する部分であれば、直接、柱等に取り付けてもよい。
【００４０】
・上記実施形態においては、建物１０のコーナー部分の交差する２面をそれぞれ第１面部材Ｅ１及び第２面部材Ｅ２によって構成した。第１面部材Ｅ１は、方立部材２１、コーナー部材３０、パネル部材１５ａ及びガラス部材１３ａ等で構成されている。第２面部材Ｅ２は、方立部材２５、コーナー部材３０、パネル部材１５ａ及びガラス部材１３ａ等で構成されている。第１面部材Ｅ１及び第２面部材Ｅ２の構成は、これらに限定されず、例えば、第１面部材及び第２面部材をそれぞれパネルによって構成してもよい。
【符号の説明】
【００４１】
Ｅ１…第１面部材、Ｅ２…第２面部材、Ｓ１…第１空間、Ｓ２…第２空間、１０…建物、１１…凸部、１２，１２ａ，１２ｂ…窓部材、１３ａ，１３ｂ…ガラス部材、１４ａ，１４ｂ…受光幕、１５ａ，１５ｂ…パネル部材、１７，１８…梁、２１，２５…方立部材、２６…カバー部材、２７…リップ溝形鋼、２８…方立ブラケット、２９…方立ファスナー、３０…コーナー部材、３１…第１面方立部材、３２…パネル支持部材、３３…ジョイントカバー、３４…凹部形成部材、５０…ファスナー、５１…第１部材、５１ａ，５２ａ…取付部、５１ｂ，５２ｂ…連結部、５１ｃ，５２ｃ…リブ部、５２…第２部材。
【図１】
2015074872.tif 000003
【図２】
2015074872.tif 000004
【図３】
2015074872.tif 000005
【図４】
2015074872.tif 000006